Podtech/llm-jp-corpus-v4-ja_patent huggingface dataset:
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
格納された複数の画像が順次表示される第１の表示領域と、前記複数の画像の中から選択された画像の縮小画像が表示される第２の表示領域と備えた表示手段と、
前記第２の表示領域に表示された前記縮小画像の中から所望の前記縮小画像を指示する指示手段と、
前記複数の画像の中から前記指示手段が指示した前記縮小画像に対応する画像である指示画像を抽出する抽出手段と、
前記第２の表示領域に表示された前記縮小画像よりも大きな画像で前記第１の表示領域に前記抽出手段が抽出した指示画像を表示させる制御手段と、
を備えたことを特徴とする画像表示装置。 
【請求項２】
前記制御手段は、前記第１の表示領域に順次表示される画像のうち一の画像を前記抽出手段が抽出した指示画像に切り替えて、該指示画像を前記第１の表示領域に表示させることを特徴とする請求項１に記載の画像表示装置。 
【請求項３】
前記所望の縮小画像を含む動画像の表示を指示する動画指示手段をさらに備え、
前記複数の画像は、画像ごとに、表示順番に対応する表示番号を付与されており、
前記抽出手段は、前記動画指示手段から動画像の表示を指示された場合、前記複数の画像の中から、前記指示画像とともに、連続画像として該指示画像と表示番号が近い順に画像を抽出し、
前記制御手段は、前記動画指示手段から動画像の表示を指示された場合、前記抽出手段が抽出した指示画像と連続画像とをもとに動画像を生成し、該生成した動画像を前記第１の表示領域に表示させることを特徴とする請求項１または２に記載の画像表示装置。 
【請求項４】
前記複数の画像は、被検体内部を撮像した画像であることを特徴とする請求項１〜３のいずれか一つに記載の画像表示装置。 
【請求項５】
格納された複数の画像が第１の表示領域に順次表示される第１の表示ステップと、
前記複数の画像の中から選択された画像の縮小画像が第２の表示領域に表示される第２の表示ステップと、
前記第２の表示領域に表示された前記縮小画像の中から所望の前記縮小画像を指示する指示ステップと、
前記複数の画像の中から前記指示手段が指示した前記縮小画像に対応する画像である指示画像を抽出する抽出ステップと、
前記第２の表示領域に表示された前記縮小画像よりも大きな画像で、前記第１の表示領域に前記抽出ステップにおいて抽出された指示画像を表示させる指示画像表示ステップと、
を含むことを特徴とする画像表示方法。 
【請求項６】
格納された複数の画像が第１の表示領域に順次表示される第１の表示手順と、
前記複数の画像の中から選択された画像の縮小画像が第２の表示領域に表示される第２の表示手順と、
前記第２の表示領域に表示された前記縮小画像の中から所望の前記縮小画像を指示する指示手順と、
前記複数の画像の中から前記指示手段が指示した前記縮小画像に対応する画像である指示画像を抽出する抽出手順と、
前記第２の表示領域に表示された前記縮小画像よりも大きな画像で、前記第１の表示領域に前記抽出手順において抽出された指示画像を表示させる指示画像表示手順と、
を含むことを特徴とする画像表示プログラム。 
【手続補正２】
【補正対象書類名】明細書
【補正対象項目名】０００３
【補正方法】変更
【補正の内容】
【０００３】
体腔内を移動する間、カプセル型内視鏡によって撮像された画像データは、順次無線通信により外部に送信され、外部に設けられたメモリに蓄積される。無線通信機能とメモリ機能とを備えた受信機を携帯することにより、被検体は、カプセル型内視鏡を飲込んだ後、排出されるまでの間にわたって、自由に行動できる。カプセル型内視鏡が排出された後、医者もしくは看護師においては、メモリに蓄積された画像データに基づいて臓器の画像をディスプレイに表示させて診断を行うことができる（特許文献１参照）。
【手続補正３】
【補正対象書類名】明細書
【補正対象項目名】０００５
【補正方法】変更
【補正の内容】
【０００５】
ところで、看護師が撮像画像を確認し診断に必要と考えられる画像を選択した後、医師が、看護師が選択した画像を参考にしながら撮像画像を改めて確認して診断を行う場合がある。この場合、看護師が選択した選択画像は、ディスプレイ上に縮小して表示される。しかしながら、従来では、医師は、看護師が選択した画像を詳細に確認したい場合、全ての画像の中から所望の画像を検索し、検索した画像をディスプレイ上に拡大表示させるという煩雑な処理を行う必要があった。特に、カプセル型内視鏡は、通常の内視鏡と異なり被験者が飲込んで自然に排出されるまでの期間、各臓器を撮像するため、観察（検査）時間が長時間に及び、膨大な枚数の画像を撮像する。このような膨大な画像の中から所望の選択画像を検索することはユーザである医師に大きな負担を課しており、診断の妨げとなっていた。
【手続補正書】
【提出日】平成18年12月15日(2006.12.15)
【手続補正１】
【補正対象書類名】明細書
【補正対象項目名】００１４
【補正方法】変更
【補正の内容】
【００１４】
「呼吸用の鼻用マスク」と題する１９９９年１月６日に公開された日本の仮未審査特許出願（公開公報）第１１−３９７号は、マスクシェルとクッションとの間の蛇腹状に形成された弾性体を開示している。この公報の図面からわかるが、マスクの蛇腹部は、マスクのクッションが患者の顔と接触する線によって定義される接触領域と実質的に同じである患者の顔上の領域に突き出している。この公報は、蛇腹の領域と患者の顔にかかる力との関係については何も教示していない。蛇腹は限られた機械的な柔軟性を提供するが、重要な圧力上の利点または重要な機械的な柔軟性は何も得られない。このマスクは、マスクの空気圧の動作範囲にわたってヘッドストラップの圧力を増やすことなしでの患者の顔に対するマスクの動きによって引き起こされる密閉に関する問題を克服していない。
なお、本出願に対応する外国の特許出願においては下記の文献が発見または提出されている。
【特許文献１】米国特許出願公開第２００４／０１４４３８６号明細書
【特許文献２】米国特許第１７１０１６０号明細書
【特許文献３】米国特許第２１３０５５５号明細書
【特許文献４】米国特許第２１３３６９９号明細書
【特許文献５】米国特許第２４２８４５１号明細書
【特許文献６】米国特許第２６２５１５５号明細書
【特許文献７】米国特許第２７０６９８３号明細書
【特許文献８】米国特許第２９３１３５６号明細書
【特許文献９】米国特許第５０７４２９７号明細書
【特許文献１０】米国特許第５３４９９４９号明細書
【特許文献１１】米国特許第５５４０２２３号明細書
【特許文献１２】米国特許第５５４２１２８号明細書
【特許文献１３】米国特許第５６４７３５７号明細書
【特許文献１４】米国特許第５６４９５３２号明細書
【特許文献１５】米国特許第５６５７７５２号明細書
【特許文献１６】米国特許第５６６２１０１号明細書
【特許文献１７】米国特許第５９２１２３９号明細書
【特許文献１８】米国特許第５９３７８５１号明細書
【特許文献１９】米国特許第６１９２８８６号明細書
【特許文献２０】米国特許第６３４００２４号明細書
【特許文献２１】米国特許第６３５７４４１号明細書
【特許文献２２】米国特許第６３７１１１０号明細書
【特許文献２３】米国特許第６４１２４８８号明細書
【特許文献２４】米国特許第６４６７４８３号明細書
【特許文献２５】米国特許第６６４４３１５号明細書
【特許文献２６】米国特許第６７７２７６０号明細書
【特許文献２７】欧州特許第０３０３０９０号明細書
【特許文献２８】欧州特許出願公開第０３３４５５５号明細書
【特許文献２９】独国特許出願公開第１９６０３９４９号明細書
【特許文献３０】米国特許第３５４５４３６号明細書
【特許文献３１】米国特許第４０６９５１６号明細書
【特許文献３２】米国特許第４４０２３１６号明細書
【特許文献３３】米国特許第４６４１６４５号明細書
【特許文献３４】米国特許第４９０５６８３号明細書
【特許文献３５】米国特許第４９０７５８４号明細書
【特許文献３６】米国特許第４９１４９５７号明細書
【特許文献３７】米国特許第４９７１０５１号明細書
【特許文献３８】米国特許第５０７４２９７号明細書
【特許文献３９】米国特許第５０８００９２号明細書
【特許文献４０】米国特許第５２４３９７１号明細書
【特許文献４１】米国特許第５２９９４４８号明細書
【特許文献４２】米国特許第５３５５８７８号明細書
【特許文献４３】米国特許第５４９２１１６号明細書
【特許文献４４】米国特許第５５０３１４７号明細書
【特許文献４５】米国特許第５６５５５２７号明細書
【特許文献４６】米国特許第５６６２１０１号明細書
【特許文献４７】米国特許第５９３７４４５号明細書
【特許文献４８】米国特許第６０１６８０４号明細書
【特許文献４９】米国特許第６０１９１０１号明細書
【特許文献５０】米国特許第６１１２７４６号明細書
【特許文献５１】米国特許第６２１３１２５号明細書
【特許文献５２】米国特許第６３２８０３１号明細書
【特許文献５３】米国特許第６３４５６１８号明細書
【特許文献５４】米国特許第６４２５３９５号明細書
【特許文献５５】米国特許第６８２３８６９号明細書
【特許文献５６】米国特許第６９８６３５２号明細書
【特許文献５７】欧州特許出願公開第０７４７０７８号明細書
【特許文献５８】欧州特許出願公開第０８５３９６２号明細書
【特許文献５９】特開平１１−３９７号公報
【特許文献６０】国際公開第０１／０６２３２６号パンフレット
【特許文献６１】国際公開第９８／００４３１０号パンフレット
【特許文献６２】米国特許第４０６９５１６号明細書
【非特許文献１】Laurent Brochard,"PRESSURE SUPPORT VENTILATION,"Chapter 9,Part IV-Conventional Methods of Ventilator Support, pgs. 239-257,1994.
【非特許文献２】McPherson et al.,"RESPIRATORY THERAPY EQUIPMENT,"Chapter 8, Third Edition, Introduction to Ventilators, pgs. 230-253, 1985.
【非特許文献３】International Preliminary Examination Report, International Appln. No. PCT/AU01/00746(3 April 2002)
【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
過酸化水素を付加した水酸化カルシウムを主成分とする土壌、または、地下水の浄化組成物。
【請求項２】
過酸化水素を付加した水酸化カルシウムと酵素とを有する土壌、または、地下水の浄化組成物。
【請求項３】
酵素がリパーゼである請求項２記載の土壌、または、地下水の浄化組成物。
【請求項４】
酵素が無機物に担持されている請求項３記載の土壌、または、地下水の浄化組成物。
【請求項５】
過酸化水素を付加した水酸化カルシウム、酵素、及び、全体重量の30%以内の界面活性剤
とを有する土壌、または、地下水の浄化組成物。
【請求項６】
界面活性剤が非イオン性界面活性剤である請求項５記載の土壌、または、地下水の浄化組成物。
【請求項７】
酵素がリパーゼである請求項５記載の土壌、または、地下水の浄化組成物。
【請求項８】
酵素が無機物に担持されている請求項７記載の土壌、または、地下水の浄化組成物。
【請求項９】
過酸化水素付加量が１０重量％以上９０重量％以下である請求項１または請求項２または請求項５に記載の土壌または地下水の浄化組成物。
【請求項１０】
水酸化マグネシウムと酵素からなる土壌、または、地下水の浄化組成物。
【請求項１１】
請求項１または請求項２または請求項５または請求項１０に記載した土壌または地下水の浄化組成物を容器に挿入し、地上から地下水層へ通じる管を通じて、地下水中へ添加する地下水浄化方法。
【請求項１２】
請求項１または請求項２または請求項５または請求項１０記載に記載した土壌または地下水の浄化組成物を、地上へ取り出す手段を設けて地下水中へ添加する地下水浄化方法。
【請求項１３】
請求項１または請求項２または請求項５または請求項１０記載に記載した、土壌または地下水の浄化組成物を地下水層上部の土壌へ添加する土壌浄化方法。
【手続補正書】
【提出日】平成19年2月7日(2007.2.7)
【手続補正１】
【補正対象書類名】特許請求の範囲
【補正対象項目名】全文
【補正方法】変更
【補正の内容】
【特許請求の範囲】
【請求項１】
複数種類の図柄を変動させて表示する図柄変動ゲームを変動ゲーム手段にて行い、前記図柄変動ゲームで表示された図柄が予め定めた大当り図柄である場合には大当り遊技が行われ、その大当り遊技中に該大当り遊技終了後に遊技者に有利となる特別状態が付与されるか否かを報知する報知演出が行われる遊技機において、
前記大当り遊技中に演出始動検知手段が遊技球を検知したことを契機に前記報知演出を実行する演出実行手段を備え、
前記演出実行手段は、前記大当り遊技中、所定の開始周期毎に報知演出を実行可能であり、前記演出始動検知手段が遊技球を検知したことを契機に該検知時点から直近の開始周期で前記報知演出を実行することを特徴とする遊技機。
【請求項２】
前記演出実行手段は、前記開始周期よりも短い時間で前記報知演出を実行することを特徴とする請求項１に記載の遊技機。
【請求項３】
前記大当り図柄には、前記特別状態が付与されることになる特定大当り図柄と前記特別状態が付与されないことになる非特定大当り図柄とを含み、
前記演出実行手段は、前記図柄変動ゲームで表示された大当り図柄が前記非特定大当り図柄の場合に前記報知演出を実行することを特徴とする請求項１又は請求項２に記載の遊技機。
【請求項４】
前記図柄変動ゲームにて前記大当り図柄が表示される場合に、前記特別状態を付与するか否かを判定する状態判定手段と、
前記状態判定手段の判定結果が肯定である場合に、前記報知演出が実行されるときに今回の報知演出で前記特別状態が付与される旨を報知するか否かを判定する状態報知判定手段とを備え、
前記演出実行手段は、前記状態報知判定手段の判定結果が肯定の場合には前記報知演出にて前記特別状態が付与される旨を報知する一方で、前記状態報知判定手段の判定結果が否定の場合には前記報知演出にて前記特別状態が付与されない旨を報知することを特徴とする請求項１〜請求項３のうちいずれか一項に記載の遊技機。
【手続補正２】
【補正対象書類名】明細書
【補正対象項目名】０００９
【補正方法】削除
【補正の内容】
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
布地に形成され、所定長さに開口した開口部と、
前記開口部の開口縁部に縫い合わされた筒状のスカート部と、
前記スカート部が前記開口縁部に縫い付けられたスカート縫い付け部の外側近傍の複数箇所で布地を貫通し、両端を牽引することにより前記開口部を閉じる糸状部材とを有し、
前記開口部に連通するぬいぐるみ内部には充填用空間が形成され、
前記スカート部を介して前記開口部から前記充填用空間に充填物が充填され、
前記糸状部材の一方の端部から前記布地への貫通位置に至る範囲内のいずれかの位置と、前記糸状部材の他方の端部から前記布地への貫通位置に至る範囲内のいずれかの位置に、前記糸状部材を牽引するための摘み部がそれぞれ設けられ、
前記糸状部材の一方の端部から該糸状部材に沿って最も近い前記布地の貫通孔と、前記糸状部材の他方の端部から該糸状部材に沿って最も近い前記布地の貫通孔とは、前記開口部の開口縁部の近傍であって、前記開口部に対して対照的な位置にあり、前記一方の端部と前記他方の端部とを牽引することにより前記開口部の開口縁部の対向縁を引き寄せ、閉じ合わせる
ことを特徴とするぬいぐるみ。
【請求項２】
請求項１記載のぬいぐるみにおいて、
前記開口部から充填物を充填し難い細径部には、予め充填物が充填されていることを特徴とするぬいぐるみ。
【請求項３】
請求項１又は２記載のぬいぐるみにおいて、
前記スカート部の開口側の端部を締め付ける締め付け用弾性部材を設けたことを特徴とするぬいぐるみ。
【請求項４】
請求項１乃至３のいずれか１項に記載のぬいぐるみにおいて、
前記糸状部材の一方の端部から布地への貫通位置に至る範囲内のいずれかの位置と、前記糸状部材の他方の端部から布地への貫通位置に至る範囲内のいずれかの位置に、布地の貫通孔よりも太い部分が設けられていることを特徴とするぬいぐるみ。
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
二枚の挟持板２，３を重ね、その二枚の挟持板２，３の両対向面１２，１３間に糸を挿通し、その糸が繰り出されて前記両対向面１２，１３に擦れることにより、糸に張力が付与されるミシンの糸調節装置において、
前記両対向面１２，１３間の隙間の間隔を調整可能とし、その両対向面１２，１３間に糸をまっすぐに挿通したことを特徴とする糸調節装置。
【請求項２】
二枚の挟持板２，３を重ね、その二枚の挟持板２，３の両対向面１２，１３間に糸を挿通し、その糸が繰り出されて前記両対向面１２，１３に擦れることにより、糸に張力が付与されるミシンの糸調節装置において、
前記両対向面１２，１３間に、糸に前記張力が付与される隙間を常時形成したことを特徴とする糸調節装置。
【請求項３】
前記両対向面１２，１３間に、糸に前記張力が付与される隙間を常時形成したことを特徴とする請求項１に記載の糸調節装置。
【請求項４】
一方の前記挟持板を他方の挟持板に向かって付勢するとともに、その他方の挟持板の前記対向面には、前記一方の挟持板に向かって突出する押え部材４を設け、その押え部材４を前記一方の挟持板の前記対向面に当てがうことにより、前記隙間を形成したことを特徴とする請求項２又は３に記載の糸調節装置。
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
表示画面上に絵柄を変動表示する絵柄表示装置と、
作動条件成立を検出する作動検出手段と、
前記作動条件成立に基づいて、遊技者に有利な特別遊技状態を発生させるか否かの抽選を行う抽選手段と、
前記抽選手段の抽選結果に基づいて前記絵柄の変動表示を行うと共に、前記抽選手段の抽選結果が当選の場合には前記絵柄を特定絵柄の組合せで停止するよう前記絵柄表示装置を表示制御する表示制御手段と、
前記抽選手段の抽選結果が当選であり、前記絵柄の変動表示が終了した場合に、前記特別遊技状態を発生させる特別遊技状態発生手段と、
前記特別遊技状態が終了した後、毎回又は所定突入条件により、所定条件が成立するまで遊技状態を前記抽選手段の当選確率が向上した高確率状態とする高確率状態設定手段とを備えた遊技機において、
前記作動条件成立に基づいて、前記高確率状態を終了させるか否かの終了抽選を行う終了抽選手段と、
遊技状態が前記高確率状態である場合に、前記抽選手段の抽選結果が非当選であることと、前記終了抽選手段の終了抽選結果が当選であることとを終了条件として、これら結果に基づく前記絵柄の変動表示をもって、前記高確率状態を終了させる高確率状態終了手段と
を備えたことを特徴とする遊技機。
【請求項２】
表示画面上に絵柄を変動表示する絵柄表示装置と、
作動条件成立を検出する作動検出手段と、
前記作動条件成立に基づいて、遊技者に有利な特別遊技状態を発生させるか否かの抽選を行う抽選手段と、
前記抽選手段の抽選結果に基づいて前記絵柄の変動表示を行うと共に、前記抽選手段の抽選結果が当選の場合には前記絵柄を特定絵柄の組合せで停止するよう前記絵柄表示装置を表示制御する表示制御手段と、
前記抽選手段の抽選結果が当選であり、前記絵柄の変動表示が終了した場合に、前記特別遊技状態を発生させる特別遊技状態発生手段と、
前記特別遊技状態が終了した後、毎回又は所定突入条件により、所定条件が成立するまで遊技状態を前記抽選手段の当選確率が向上した高確率状態とする高確率状態設定手段と
を備えた遊技機において、
前記作動条件成立に基づいて、前記高確率状態を終了させるか否かの終了抽選を行う終了抽選手段と、
遊技状態が前記高確率状態であって前記抽選手段の抽選結果が非当選である場合にのみ前記終了抽選手段の終了抽選結果を参照し、参照した結果、前記終了抽選結果が当選であると判明した場合に終了条件成立と判断し、これら結果に基づく前記絵柄の変動表示をもって、前記高確率状態を終了させる高確率状態終了手段と
を備えたことを特徴とする遊技機。
【請求項３】
前記表示制御手段は、遊技状態が前記高確率状態であって前記終了条件が成立した場合に、前記高確率状態が終了することを教示する高確率終了変動を行うよう前記絵柄表示装置を表示制御することを特徴とする請求項１又は２に記載の遊技機。
【請求項４】
前記表示制御手段は、遊技状態が前記高確率状態であって前記終了条件が成立した場合と、遊技状態が前記高確率状態であって前記抽選手段の抽選結果が当選である場合のいずれかに、前記高確率状態が終了することと、前記特別遊技状態が発生することのいずれかであることを教示する択一変動を行うよう前記絵柄表示装置を表示制御することを特徴とする請求項１又は２に記載の遊技機。
【請求項５】
前記抽選手段は、前記作動条件成立に基づいて、前記特別遊技状態を発生させるか否かの抽選に加えて前記高確率状態とするか否かの抽選を行うものであり、前記表示制御手段は、遊技状態が前記高確率状態であって、前記終了条件が成立した場合と、前記抽選手段の前記特別遊技状態の抽選結果と前記高確率状態の抽選結果とが共に当選である場合のいずれかに、前記高確率状態が終了することと、前記特別遊技状態が発生した後に前記高確率状態となることのいずれかであることを教示する択一変動を行うよう前記絵柄表示装置を表示制御することを特徴とする請求項１又は２に記載の遊技機。
【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
滅菌領域に配置される第１の光学機器と、
非滅菌領域に配置される第２の光学機器と、
前記第１の光学機器と前記第２の光学機器との間を着脱可能に連結し、かつ前記第１の光学機器側の光学系と前記第２の光学機器側の光学系との間を光学的に連結する光路を備え、滅菌可能な滅菌アダプタと、
前記第２の光学機器を含む前記非滅菌領域に配置される非滅菌領域側の機器全体を覆うドレープと、
前記ドレープに取付けられ、前記滅菌アダプタと前記第２の光学機器との連結部に固定される、内周面と外周面とを有する枠状のドレープ固定具と、
を具備し、
前記ドレープ固定具は、変形可能な柔軟な材料で形成され、
前記滅菌アダプタと前記第２の光学機器との連結部には、前記滅菌アダプタと前記第２の光学機器の少なくともいずれか一方に前記ドレープ固定具の外周面の少なくとも一部を囲む状態で係止する係止部を有することを特徴とする医療器具システム。
【請求項２】
前記非滅菌領域側の機器は、少なくとも台座部と、一端部に光学機器マウント部、他端部に前記台座部に連結される連結部を有し、前記光学機器マウント部を移動可能に支持する多段アーム式の支持アーム機構とを具備する内視鏡保持装置によって形成され、
前記第１の光学機器は、内視鏡、前記第２の光学機器は、前記内視鏡の観察像を撮像する撮像部を有するカメラヘッドによってそれぞれ形成されていることを特徴とする請求項１に記載の医療器具システム。
【請求項３】
前記第２の光学機器は、他の機器が連結される凹陥状の嵌合凹部を有し、 
前記滅菌アダプタは、前記第２の光学機器の前記嵌合凹部に挿入されるアダプタ側挿入部の内部に前記第１の光学機器が挿入される挿入穴部が延設され、 
前記第２の光学機器の前記嵌合凹部に前記第１の光学機器と前記滅菌アダプタとが重なり合う状態で一緒に挿入される３重構造の重なり部を有することを特徴とする請求項１に記載の医療器具システム。
【請求項４】
前記第２の光学機器は、前記嵌合凹部の入口部に前記ドレープ固定具が挿入される係止溝部を有することを特徴とする請求項３に記載の医療器具システム。
【手続補正２】
【補正対象書類名】明細書
【補正対象項目名】００１２
【補正方法】変更
【補正の内容】
【００１２】
請求項２の発明は、前記非滅菌領域側の機器は、少なくとも台座部と、一端部に光学機器マウント部、他端部に前記台座部に連結される連結部を有し、前記光学機器マウント部を移動可能に支持する多段アーム式の支持アーム機構とを具備する内視鏡保持装置によって形成され、前記第１の光学機器は、内視鏡、前記第２の光学機器は、前記内視鏡の観察像を撮像する撮像部を有するカメラヘッドによってそれぞれ形成されていることを特徴とする請求項１に記載の医療器具システムである。  
そして、本請求項２の発明では、非滅菌領域側の機器である内視鏡保持装置の光学機器マウント部に第２の光学機器のカメラヘッドを取付け、第１の光学機器である内視鏡は、滅菌アダプタを介してカメラヘッドに連結させるようにしたものである。  
請求項３の発明は、前記第２の光学機器は、他の機器が連結される凹陥状の嵌合凹部を有し、前記滅菌アダプタは、前記第２の光学機器の前記嵌合凹部に挿入されるアダプタ側挿入部の内部に前記第１の光学機器が挿入される挿入穴部が延設され、前記第２の光学機器の前記嵌合凹部に前記第１の光学機器と前記滅菌アダプタとが重なり合う状態で一緒に挿入される３重構造の重なり部を有することを特徴とする請求項１に記載の医療器具システムである。 
請求項４の発明は、前記第２の光学機器は、前記嵌合凹部の入口部に前記ドレープ固定具が挿入される係止溝部を有することを特徴とする請求項３に記載の医療器具システムである。
【手続補正書】
【提出日】平成19年8月22日(2007.8.22)
【手続補正１】
【補正対象書類名】特許請求の範囲
【補正対象項目名】全文
【補正方法】変更
【補正の内容】
【特許請求の範囲】
【請求項１】
外枠に対して取付けられた遊技機本体と、
前記遊技機本体に対して開閉自在に支持された前面扉と
を備え、
前記前面扉は、該前面扉の下端部が、前記遊技機本体の下端部よりも上方となるように配設されている遊技機において、
前記遊技機本体に対して前記前面扉を開状態とし、前記外枠の下面の前辺を支点に該外枠を前面側へ傾けた場合、床面に当接面として前記前面扉の下端部の底面が当接するように構成し、
前記外枠の下面の前辺と前記当接面とが前記床面に当接することによって自立することを特徴とする遊技機。
【請求項２】
前記当接面は、前記遊技機本体に対する前記前面扉の開放側下端部の底面である請求項１に記載の遊技機。
【請求項３】
前記遊技機本体に対する前記前面扉の開放側下端部から該前面扉の開放側面にかけて傾斜面を形成し、該傾斜面を前記当接面とした請求項２に記載の遊技機。
【請求項４】
前記遊技機本体に対して前記前面扉を所定の角度で開状態とし、前記外枠の下面の前辺を支点に前記前面扉の開放側面の最下端部が床面に接地するまで該外枠を前面側へ傾けた傾き角と、前記前面扉の開放側面の最下端部を基点とする水平方向に対して前記当接面がなす傾斜角とを同値とした請求項３に記載の遊技機。
【請求項５】
前記遊技機本体と前記前面扉とが連結部材によって連結され、前記連結部材は、前記遊技機本体に対して前記前面扉の最大開放角度を少なくとも９０°とするように構成した請求項１乃至４のいずれか１項に記載の遊技機。
【手続補正書】
【提出日】平成19年6月21日(2007.6.21)
【手続補正１】
【補正対象書類名】特許請求の範囲
【補正対象項目名】請求項１
【補正方法】変更
【補正の内容】
【請求項１】
螺旋状に巻かれている帯状部材により形成されている螺旋管と、
前記螺旋管に外装され、編組されている細線部材により形成されている網状管と、
前記網状管に被覆されている外皮と、
前記外皮に一体的に設けられている弾性部材と、
を具備することを特徴とする内視鏡用可撓管。
【手続補正２】
【補正対象書類名】特許請求の範囲
【補正対象項目名】請求項３
【補正方法】変更
【補正の内容】
【請求項３】
前記弾性線状部材は、前記外皮に螺旋状に巻かれて配置されていることを特徴とする請求項２の内視鏡用可撓管。
【手続補正３】
【補正対象書類名】明細書
【補正対象項目名】０００７
【補正方法】変更
【補正の内容】
【０００７】
請求項１の発明は、螺旋状に巻かれている帯状部材により形成されている螺旋管と、前記螺旋管に外装され、編組されている細線部材により形成されている網状管と、前記網状管に被覆されている外皮と、前記外皮に一体的に設けられている弾性部材と、を具備することを特徴とする内視鏡用可撓管である。
【手続補正４】
【補正対象書類名】明細書
【補正対象項目名】０００８
【補正方法】変更
【補正の内容】
【０００８】
そして、本請求項１の発明では、可撓管が曲げ変形された場合には、外皮に一体的に設けられている弾性部材により可撓管をもとの状態に戻そうとする力が生じる。
【手続補正５】
【補正対象書類名】明細書
【補正対象項目名】００１１
【補正方法】変更
【補正の内容】
【００１１】
請求項３の発明は、前記弾性線状部材は、前記外皮に螺旋状に巻かれて配置されていることを特徴とする請求項２の内視鏡用可撓管である。
【手続補正６】
【補正対象書類名】明細書
【補正対象項目名】００１２
【補正方法】変更
【補正の内容】
【００１２】
そして、本請求項３の発明では、可撓管が曲げ変形された場合には、外皮に螺旋状に巻かれて配置されている弾性線状部材により可撓管をもとの状態に戻そうとする力が生じる。
【手続補正７】
【補正対象書類名】明細書
【補正対象項目名】００１４
【補正方法】変更
【補正の内容】
【００１４】
そして、本請求項４の発明では、可撓管が曲げ変形された場合には、外皮で内視鏡用可撓管の長手方向に延びている弾性線状部材により可撓管をもとの状態に戻そうとする力が生じる。
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
吸水前の吸水性樹脂中の重量平均粒子径が、１２０μｍ〜５ｍｍであって、
吸水前の吸水性樹脂中の粒子径１５０μｍ未満の微粒子の割合が２０質量％以下であって、
該吸水性樹脂は水より比重の小さい物体で保持されることにより、水中に浮遊する又は水面に浮くことを特徴とする吸水性樹脂。
【請求項２】
吸水前の吸水性樹脂中の重量平均粒子径が、１２０μｍ〜５ｍｍであって、
吸水前の吸水性樹脂中の粒子径１５０μｍ未満の微粒子の割合が２０質量％以下であって、
芳香剤又は植物成分を含み、
水中に浮遊する又は水面に浮くことを特徴とする吸水性樹脂。
【請求項３】
前記吸水性樹脂は水より比重の小さい物体で保持されることにより、水中に浮遊する又は水面に浮くことを特徴とする、請求項２に記載の吸水性樹脂。
【請求項４】
さらに水溶性高分子又は界面活性剤を含む請求項１〜３のいずれか１項に記載の吸水性樹脂。
【請求項５】
請求項２〜４のいずれか１項に記載の吸水性樹脂を含む芳香ゲル。
【請求項６】
請求項１〜４のいずれか１項に記載の吸水性樹脂又は請求項５に記載の芳香ゲルを用いた消臭方法。
【請求項７】
廃煙草に適用される請求項６に記載の消臭方法。
【手続補正２】
【補正対象書類名】明細書
【補正対象項目名】発明の名称
【補正方法】変更
【補正の内容】
【発明の名称】吸水性樹脂及び消臭方法
【手続補正３】
【補正対象書類名】明細書
【補正対象項目名】０００７
【補正方法】変更
【補正の内容】
【０００７】
本発明の諸目的は、下記の（１）〜（７）により達成される。
（１）：吸水前の吸水性樹脂中の重量平均粒子径が、１２０μｍ〜５ｍｍであって、吸水前の吸水性樹脂中の粒子径１５０μｍ未満の微粒子の割合が２０質量％以下であって、該吸水性樹脂は水より比重の小さい物体で保持されることにより、水中に浮遊する又は水面に浮くことを特徴とする吸水性樹脂。
（２）：吸水前の吸水性樹脂中の重量平均粒子径が、１２０μｍ〜５ｍｍであって、吸水前の吸水性樹脂中の粒子径１５０μｍ未満の微粒子の割合が２０質量％以下であって、芳香剤又は植物成分を含み、水中に浮遊する又は水面に浮くことを特徴とする吸水性樹脂。
（３）：前記吸水性樹脂は水より比重の小さい物体で保持されることにより、水中に浮遊する又は水面に浮くことを特徴とする、（２）に記載の吸水性樹脂。
（４）：さらに水溶性高分子又は界面活性剤を含む（１）〜（３）のいずれか１つに記載の吸水性樹脂。
（５）：（２）〜（４）のいずれか１つに記載の吸水性樹脂を含む芳香ゲル。
（６）：（１）〜（４）のいずれか１つに記載の吸水性樹脂又は（５）に記載の芳香ゲルを用いた消臭方法。
（７）：廃煙草に適用される（６）に記載の消臭方法。
【手続補正書】
【提出日】平成19年7月11日(2007.7.11)
【手続補正１】
【補正対象書類名】明細書
【補正対象項目名】０００４
【補正方法】変更
【補正の内容】
【０００４】
PUFAをトリグリセライド型で利用するにあたって、近年、PUFAの結合位置や結合個数を特定した、いわゆる「構造脂質」として利用することにより、さらに機能性が高まることが知られている。構造脂質を製造する場合、位置特異的な化学的手法を用いることもあるが、多くの場合、食品としての用途が中心であることもあり、リパーゼなどの酵素を用いたアシル基の変換反応で製造することが多い（国際公開W0 03/004667）。この場合、反応系の設計にもよるが、一般的には、原料トリグリセライド中の特定の位置に結合した脂肪酸の結合は切断せずに、その他の位置に結合した脂肪酸のみを加水分解反応またはアシル基交換反応により除去することが多い。反応式１に、PUFA含有トリグリセライド混合物とカプリル酸とのリパーゼ反応により、１，３位にカプリル酸を含むトリグリセライドと遊離脂肪酸が生成する場合の例を示す（Ａ〜Ｉ：脂肪酸、８：カプリル酸）。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
メダルを筐体の外側から遊技台に向かって投入するためのメダル投入部と、
前記遊技台上でメダル投入側と反メダル投入側に進退可能に設けられた往復台と、
前記往復台の上方に配設され、画像を表示する表示画面と、
前記遊技台上で中心から放射方向に複数のメダル通過口を設けたメダル通過規制部材と、
前記メダル通過規制部材を上方に向かう回転軸を中心にして回転させる回転駆動機構と、
前記回転駆動機構の回転を調整可能に制御する制御部と、
を備え、
前記制御部は、投入された前記メダルが前記メダル通過口を通過して検出されることに基づいて抽選を行い、前記抽選による抽選結果を前記表示画面に表示することを特徴とするメダル遊技機。
【請求項２】
メダルを蓄積可能な遊技面を有する遊技台と、
前記メダルを筐体の外側から前記遊技面に向かって投入するためのメダル投入部と、
前記遊技台上でメダル投入側と反メダル投入側に進退可能に設けられた往復台と、
前記往復台の上方に配設され、画像を表示する表示画面と、
前記往復台内で上方に向かう回転軸を中心に回転自在に保持されたメダル通過規制部材と、
前記メダル通過規制部材を回転させる回転駆動機構と、
前記回転駆動機構の回転を調整可能に制御する制御部と、
を備え、
前記メダル通過規制部材は、前記中心から放射方向に複数のメダル通過口を有し、前記制御部は、投入された前記メダルが前記メダル通過口を通過して検出されることにより抽選を行い、前記抽選による抽選結果を前記表示画面に表示することを特徴とするメダル遊技機。
【請求項３】
前記遊技台上に立設され、メダル投入側と反メダル投入側とを画成するような仕切部材をさらに備え、
前記仕切部材には、前記往復台を反メダル投入側に出没可能に収容するための貫通窓が設けられている請求項１または２に記載のメダル遊技機。
【請求項４】
前記回転駆動機構は、駆動モータと前記駆動モータの回転を伝達する複数の歯車とを有し、複数の前記メダル規制部材を回転させる請求項１から３のいずれか１項に記載のメダル遊技機。
【手続補正２】
【補正対象書類名】明細書
【補正対象項目名】０００７
【補正方法】変更
【補正の内容】
【０００７】
しかし、特許文献１のメダル遊技機によると、遊技者が押出板の移動動作と羽根板の回動動作とのタイミングを計りつつメダルを遊技面上に投入しなければならないため、より多くのメダルを獲得する（メダルが払い戻される）ためにはある程度の技量を必要とし、遊技性を高めることができるが、しかし押出板のメダル通過口が遊技面に対して垂直な面内に配置されているため、メダル通過口の開口方向がメダルの投入方向に一致することとなり、このためメダル通過口にメダルを投入するために高度の技量を必要とせず、興趣に富んだ遊技を楽しむことができないという問題がある。
【手続補正３】
【補正対象書類名】明細書
【補正対象項目名】００１０
【補正方法】変更
【補正の内容】
【００１０】
本発明は、上記した目的を達成するため、メダルを筐体の外側から遊技台に向かって投入するためのメダル投入部と、前記遊技台上でメダル投入側と反メダル投入側に進退可能に設けられた往復台と、前記往復台の上方に配設され、画像を表示する表示画面と、前記遊技台上で中心から放射方向に複数のメダル通過口を設けたメダル通過規制部材と、前記メダル通過規制部材を上方に向かう回転軸を中心にして回転させる回転駆動機構と、前記回転駆動機構の回転を調整可能に制御する制御部と、を備え、前記制御部は、投入された前記メダルが前記メダル通過口を通過して検出されることに基づいて抽選を行い、前記抽選による抽選結果を前記表示画面に表示することを特徴とするメダル遊技機を提供する。
また、本発明は、上記した目的を達成するため、メダルを蓄積可能な遊技面を有する遊技台と、前記メダルを筐体の外側から前記遊技面に向かって投入するためのメダル投入部と、前記遊技台上でメダル投入側と反メダル投入側に進退可能に設けられた往復台と、前記往復台の上方に配設され、画像を表示する表示画面と、前記往復台内で上方に向かう回転軸を中心に回転自在に保持されたメダル通過規制部材と、前記メダル通過規制部材を回転させる回転駆動機構と、前記回転駆動機構の回転を調整可能に制御する制御部と、を備え、前記メダル通過規制部材は、前記中心から放射方向に複数のメダル通過口を有し、前記制御部は、投入された前記メダルが前記メダル通過口を通過して検出されることにより抽選を行い、前記抽選による抽選結果を前記表示画面に表示することを特徴とするメダル遊技機を提供する。
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
被検者の体内に導入された送信装置から送信される無線信号を受信する受信装置において、
前記被検者に対する検査情報を取り込む検査情報取込手段と、
前記検査情報取込手段で取り込んだ検査情報を登録する登録手段と、
前記登録手段に登録されている検査情報を検知する検知手段と、
前記検知手段の検知結果に基づいて、前記被検者の検査のための識別情報を生成する識別情報生成手段と、
を備え、前記登録手段は、前記識別情報生成手段で生成される識別情報を登録することを特徴とする受信装置。
【請求項２】
前記識別情報生成手段で生成される識別情報は、前記検査情報以外の情報からなることを特徴とする請求項１に記載の受信装置。
【請求項３】
前記識別情報生成手段で生成される識別情報は、少なくとも時刻情報を含むことを特徴とする請求項１または２に記載の受信装置。
【請求項４】
前記受信装置は、
前記登録手段に登録された情報を表示する表示手段を、
さらに備えることを特徴とする請求項１〜３のいずれか一つに記載の受信装置。
【請求項５】
被検者の体内に導入された送信装置から送信される無線信号を受信する受信装置と、前記受信装置が受信した無線信号に基づいた画像を表示する表示装置とからなる医療装置において、
前記受信装置は、
前記被検者に対する検査情報を取り込む検査情報取込手段と、
前記検査情報取込手段で取り込んだ検査情報を登録する登録手段と、
前記登録手段に登録されている検査情報を検知する検知手段と、
前記検知手段の検知結果に基づいて、前記被検者の検査のための識別情報を生成する識別情報生成手段と、
を備え、前記登録手段は、前記識別情報生成手段で生成される識別情報を登録し、前記表示装置は、
前記被検者に対する検査情報を生成する検査情報生成手段と、
前記画像および前記識別情報生成手段で生成された識別情報を取り込む情報取込手段と、
前記識別情報取込手段で取り込んだ識別情報に基づいて、前記被検者の検査を識別する識別手段と、
を備えることを特徴とする医療装置。
【請求項６】
前記識別情報生成手段で生成される識別情報は、前記検査情報以外の情報からなることを特徴とする請求項５に記載の医療装置。
【請求項７】
前記識別情報生成手段で生成される識別情報は、少なくとも時刻情報を含むことを特徴とする請求項５または６に記載の医療装置。
【請求項８】
前記受信装置は、
前記登録手段で登録した情報を表示する表示手段を、
さらに備えることを特徴とする請求項５〜７のいずれか一つに記載の医療装置。
【請求項９】
被検者の体内に導入された送信装置から送信される無線信号を受信する受信装置と、前記受信装置が受信した無線信号に基づいた画像を表示する表示装置とからなる医療装置による、識別情報生成登録方法であって、
前記被験者の検査のための識別情報を生成し、識別情報を登録することを特徴とする識別情報生成登録方法。
【請求項１０】
前記識別情報の生成は、前記受信装置と前記表示装置が接続されていないことを確認し、かつ、前記識別情報が登録されていないことを確認し、時刻情報に基づいて固有の該識別情報を生成することを特徴とする請求項９に記載の識別情報生成登録方法。
【手続補正２】
【補正対象書類名】明細書
【補正対象項目名】発明の名称
【補正方法】変更
【補正の内容】
【発明の名称】受信装置、医療装置および識別情報生成登録方法
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
複数の図柄を停止表示する図柄表示手段と、
遊技者による操作に基づいて、単位遊技の開始を指令する信号を出力する遊技開始指令手段と、
前記遊技開始指令手段により出力された信号に基づいて、前記図柄表示手段により停止表示される図柄の変動を行う図柄変動手段と、
前記遊技開始指令手段により出力された信号に基づいて、当選役を決定する当選役決定手段と、
遊技者による操作に基づいて、前記図柄変動手段により行われる図柄の変動の停止を指令する信号を出力する変動停止指令手段と、
前記当選役決定手段により決定された当選役と前記変動停止指令手段により出力された信号とに基づいて、前記図柄変動手段により行われる図柄の変動を停止制御する停止制御手段と、
前記停止制御手段により前記図柄表示手段に特定の表示態様が停止表示された場合に、遊技者に有利な有利状態を発生させる有利状態発生手段と、
前記停止制御手段が前記特定の表示態様を停止表示させることが可能な確率が第１の確率である第１確率状態を継続する単位遊技の回数を決定するための決定情報として、決定される単位遊技の回数の期待値が第１の値である第１決定情報と、決定される単位遊技の回数の期待値が第１の値よりも小さい第２の値である第２決定情報とを格納する第１情報格納手段と、
前記第１確率状態において、前記停止制御手段が前記特定の表示態様を停止表示させることが可能な確率が前記第１の確率よりも高い第２の確率である第２確率状態への移行を決定する確率状態移行決定手段と、
前記確率状態移行決定手段が前記第２確率状態への移行を決定したことを契機として、前記第１確率状態から前記第２確率状態へ移行させる確率状態移行手段と、
前記第１決定情報に基づいて継続する単位遊技の回数が決定された第１確率状態において、前記確率状態移行決定手段が前記第２確率状態への移行を決定した場合に、前記第１確率状態が継続する単位遊技の回数の決定のために前記第２決定情報を続けて用いる回数の上限を決定する連続回数上限決定手段と、
前記第２決定情報を続けて用いる上限の回数に対応して設けられた第３決定情報であり、前記連続回数上限決定手段が決定した回数分前記第２決定情報を続けて用いる前の所定の時機に、前記第１確率状態が継続する単位遊技の回数の決定のために前記第１決定情報を用いるか否かを決定するための第３決定情報を格納する第２情報格納手段と、
を備えたことを特徴とする遊技機。
【手続補正書】
【提出日】平成19年3月13日(2007.3.13)
【手続補正１】
【補正対象書類名】明細書
【補正対象項目名】０００９
【補正方法】変更
【補正の内容】
【０００９】
このような観点から、本発明者は、従来公知の標準１２誘導心電図の心電図誘導システムの心電図誘導電極セットのサブセットを使用することにより、最小限の電極の装着と標準１２誘導心電図の再構築とを、多くの熟練を要することなく、容易かつ高精度に行うことができると共に、各種の心臓疾患に対する適正な診断および治療を行うためのモニタリングを簡便かつ有効に達成することができる、標準１２誘導心電図の構築方式および心電図検査装置を開発し、特許出願を行った（特許文献１参照）。
【手続補正２】
【補正対象書類名】明細書
【補正対象項目名】００１０
【補正方法】変更
【補正の内容】
【００１０】
すなわち、前記特許文献１には、最小限のチャンネル数からなる心電図誘導システムの心電図誘導電極セットのサブセットとして、標準１２誘導心電図を得る場合の四肢誘導またはＭＬ誘導の第Ｉ、II誘導と、胸部誘導の２つの誘導であるＶ１誘導およびＶ５誘導またはＶ６誘導とを使用し、第III誘導とａＶ誘導（ａＶＲ誘導、ａＶＬ誘導、ａＶＦ誘導）が、前記表１に示す各誘導の固有関係に基づいて演算により求められる。また、前記胸部誘導の残りの誘導であるＶ２誘導、Ｖ３誘導、Ｖ４誘導、Ｖ６誘導またはＶ５誘導は、電位マトリクス・誘導ベクトル・心臓ベクトルの関係から、演算により求めることができることが開示されている。
【手続補正３】
【補正対象書類名】明細書
【補正対象項目名】００１１
【補正方法】変更
【補正の内容】
【００１１】
ここで、第Ｉ、II誘導を検出するための電極としては、、四肢誘導であれば左右腕部（ＬＡ、ＲＡ）と左右下肢（ＬＬ、ＲＬ）、ＭＬ誘導であれば左右鎖骨下（ＬＡ、ＲＡ）と左右の前腸骨棘あるいは左右肋骨弓の下端部（ＬＬ、ＲＬ）の４個所に設ける。この場合、ＲＬを接地電極とする。また、胸部誘導の２誘導（Ｖ２、Ｖ６またはＶ５）の誘導波形を検出するための電極としては、第４肋間胸骨右縁位置（Ｖ１）と第５肋間左鎖骨中線上のレベルで左中腋窩線上の位置（Ｖ６）または第５肋間左鎖骨中線上のレベルで左前腋窩線上の位置（Ｖ５）の２個所に設ける。これにより、標準１２誘導心電図の心電図誘導システムの心電図誘導電極セットのサブセットを検出測定し、その他の標準１２誘導心電図の誘導については、それぞれ前記表１に示す各誘導の固有関係に基づいて演算により求めることができる。
【手続補正４】
【補正対象書類名】明細書
【補正対象項目名】００１２
【補正方法】変更
【補正の内容】
【００１２】
このようにして得られる標準１２誘導心電図は、従来の標準１２誘導心電図の心電図誘導システムの心電図誘導電極セットのサブセットを使用することから、各電極の装着に際してそれぞれ所定部位への位置決めを容易かつ確実に行うことが可能であり、作業に多くの熟練を要することなく、高精度の標準１２誘導心電図を再構築することができ、各種の心臓疾患に対する診断および治療を適正に行うことができる。
【手続補正５】
【補正対象書類名】明細書
【補正対象項目名】００１５
【補正方法】変更
【補正の内容】
【００１５】
しかるに、前記特許文献１に開示される標準１２誘導心電図の構築方式においては、標準１２誘導心電図の心電図誘導システムの心電図誘導電極セットのサブセットを使用し、瞬時心起電力ベクトル（ハートベクトル）を求め、未知の誘導の心電図電位を前記瞬時心起電力ベクトルから算出するものである。この構築方式によれば、四肢誘導電極を、両手首、両足首の代わりに、運動負荷心電図で使用されるＭＬ誘導の位置に装着するものである。すなわち、これらの電極位置は、運動時に腕の動きの影響を受けないように腕の付け根よりも内側となっており、両手首と心臓を結ぶ電気的な導線から少しずれているので、このずれは未知の誘導の心電図を計算する際に、リードベクトルの誤差となり得る。
【手続補正６】
【補正対象書類名】明細書
【補正対象項目名】００１６
【補正方法】変更
【補正の内容】
【００１６】
また、前記特許文献１に開示される標準１２誘導心電図の構築方式においては、胸部誘導を導出するための電極の組合せとして、Ｖ１とＶ２誘導あるいはＶ１とＶ６誘導を選択しているが、これらの誘導の電気的角度は１８０度に近いため、瞬時心起電力ベクトルと前記一方の誘導のリードベクトルとが直交するような場合は、他方の誘導のリードベクトルともほぼ直交することとなる。心起電力ベクトルとリードベクトルが直交する場合は、誘導電位がほぼゼロになり誤差が大きくなることがある。
【手続補正７】
【補正対象書類名】明細書
【補正対象項目名】００２５
【補正方法】変更
【補正の内容】
【００２５】
さらに、図４に示すように、前記Ｖ２，Ｖ４誘導は、正常な電気的な角度（心臓の平均的起電力の角度）に最も近い角度をなすため、上記の胸部誘導は瞬時心起電力ベクトルを算出するために最適な組合せとなっている。
【手続補正８】
【補正対象書類名】明細書
【補正対象項目名】００３５
【補正方法】変更
【補正の内容】
【００３５】
Ｈ＝（ＬTＬ）-1ＬTＶ        …（３）
ここで、式（３）のＬは四肢２誘導（Ｉ、II）と胸部２誘導（Ｖ２、Ｖ４）のリードベクトル、Ｖは同誘導の測定電位である。
【手続補正書】
【提出日】平成19年9月6日(2007.9.6)
【手続補正１】
【補正対象書類名】特許請求の範囲
【補正対象項目名】全文
【補正方法】変更
【補正の内容】
【特許請求の範囲】
【請求項１】
心電図学に基づく心電波形の解析種別の組み合わせと、前記解析種別の組み合わせに対応する表示内容とを予め関連付けて記憶するための記憶手段と、
被験者の心電波形を測定するために、前記被験者の身体に接触させて電気信号を検出するための電極と、
前記電極により検出された電気信号をデジタル信号に変換するための変換手段と、
前記変換手段により変換されたデジタル信号に基づいて、前記被験者の心電波形データを取得するための取得手段と、
前記取得手段により取得された前記心電波形データを解析し、前記心電図学に基づく解析種別に分類するための処理を行なう分類手段と、
前記分類手段による分類と前記記憶手段に記憶された前記解析種別の組み合わせとを照合して、対応する表示内容を選択するための選択手段と、
前記選択手段により選択された前記表示内容を表示するための表示手段とを備える、携帯型心電計。
【請求項２】
前記表示内容は、被験者に心電波形データの解析結果を通知するための所定の情報であり、正常心拍の動作に基づく心電波形からのずれを表わす情報である、請求項１に記載の携帯型心電計。
【請求項３】
前記記憶手段には、さらに、前記解析種別の組み合わせと対応付けて、緊急度が予め記憶され、
前記選択手段は、さらに、緊急度を選択し、
前記表示手段は、さらに、前記選択手段により選択された前記緊急度を表示する、請求項１に記載の携帯型心電計。
【請求項４】
前記取得手段により取得された前記心電波形データを記憶するための波形記憶手段と、
前記選択手段により選択された前記緊急度に従い、前記波形記憶手段への記憶処理を制御するための記憶制御手段とをさらに備える、請求項３に記載の携帯型心電計。
【請求項５】
前記記憶制御手段は、前記緊急度が所定の緊急度である場合に、前記波形記憶手段に前記心電波形データを記憶する処理を行ない、前記緊急度が所定の緊急度でない場合には、前記被験者に対して前記心電波形データを記憶させるか否かを問い合わせる、請求項４に記載の携帯型心電計。
【手続補正２】
【補正対象書類名】明細書
【補正対象項目名】００１３
【補正方法】変更
【補正の内容】
【００１３】
この発明のある局面に従う携帯型心電計は、心電図学に基づく心電波形の解析種別の組み合わせと、解析種別の組み合わせに対応する表示内容とを予め関連付けて記憶するための記憶手段と、被験者の心電波形を測定するために、被験者の身体に接触させて電気信号を検出するための電極と、電極により検出された電気信号をデジタル信号に変換するための変換手段と、変換手段により変換されたデジタル信号に基づいて、被験者の心電波形データを取得するための取得手段と、取得手段により取得された心電波形データを解析し、心電図学に基づく解析種別に分類するための処理を行なう分類手段と、分類手段による分類と記憶手段に記憶された解析種別の組み合わせとを照合して、対応する表示内容を選択するための選択手段と、選択手段により選択された表示内容を表示するための表示手段とを備える。
【手続補正３】
【補正対象書類名】明細書
【補正対象項目名】００１４
【補正方法】変更
【補正の内容】
【００１４】
上述の「表示内容」は、被験者に心電波形データの解析結果を通知するための所定の情報であり、正常心拍の動作に基づく心電波形からのずれを表わす情報であることが望ましい。
【手続補正４】
【補正対象書類名】明細書
【補正対象項目名】００１５
【補正方法】変更
【補正の内容】
【００１５】
上述の記憶手段には、さらに、解析種別の組み合わせと対応付けて、緊急度が予め記憶されていることが望ましい。この場合、選択手段は、さらに、緊急度を選択し、表示手段は、選択手段により選択された緊急度を、さらに表示する。
【手続補正５】
【補正対象書類名】明細書
【補正対象項目名】００１７
【補正方法】変更
【補正の内容】
【００１７】
さらに好ましくは、記憶制御手段は、緊急度が所定の緊急度である場合に、波形記憶手段に心電波形データを記憶する処理を行ない、緊急度が所定の緊急度でない場合には、被験者に対して心電波形データを記憶させるか否かを問い合わせる。
【手続補正６】
【補正対象書類名】明細書
【補正対象項目名】００４１
【補正方法】変更
【補正の内容】
【００４１】
「心電図学に基づく解析種別」とは、たとえば非特許文献１に示されるような解析アルゴリズムにより、正常心拍の動作に基づく心電波形からのずれを検出することにより得られる所定の解析種別をいう。この「正常心拍の動作に基づく心電波形」（以下、「正常波形」と略す）とは、たとえば、非特許文献１において示されるようなクラスタリング法などにより、予め決定された被験者の基準値（正常値）となる心電波形のことをいう。
【手続補正７】
【補正対象書類名】明細書
【補正対象項目名】００４２
【補正方法】変更
【補正の内容】
【００４２】
また「所定の解析種別」は、本実施の形態において、「頻脈」、「徐脈」、「ＲＲ不整」、「ＰＶＣ（Premature Ventricular Contraction）」、「ＳＴ低下」の５項目に、「ノイズ」を加えた６項目を示す。したがって、本実施の形態において、心電図学に基づく解析種別は、これら６項目を示す。なお、解析種別はこれらに限られず、他の項目を追加してもよい。